(57)【要約】      （修正有）【課題】タンポンのための可搬式パッケージを提供する。【解決手段】約１日分のタンポン用の複数の小型パッケージが、携帯用外箱の中に提供される。小型パッケージ内のタンポンは、１列に提供され、パッケージの底に個々に接着されてもよい。小型パッケージは、ポケット等の小さな空間にパッケージを挿入することを容易にするよう先細にされてもよい。個々のパッケージは、中箱の中身への即時アクセスを可能にするよう、中箱から移動可能な外スリーブにより被覆される中箱を伴って形成されてもよい。不注意に開くことに抵抗するクロージャは、先細パッケージの先細端部に対して特に構成されてもよい。クロージャは、視界から、その係合要素を隠してもよい。所望であれば、クロージャがパッケージをしっかりと閉じていることをユーザーに合図するように、クロージャによる聴覚又は触知キューのようなフィードバック特徴が提供されてもよい。【選択図】図１
2011031990.tif 000002
【特許請求の範囲】
【請求項１】
タンポンのためのパッケージにおいて、
前壁と、
前記前壁から離間し、かつ前記前壁に対向する後壁と、
前記前壁と後壁との間に延在する、第１の側壁と、
前記第１の側壁に対向し、かつそこから離間する、前記前壁と後壁との間に延在する第２の側壁と、を備え、
前記前壁、前記後壁、並びに前記第１及び第２の側壁は、前記パッケージが１日分を超えないタンポンを収容することができるように、寸法決定され、かつ相互に離間する、パッケージ。
【請求項２】
前記パッケージが４つを超えないタンポンを収容することができる、請求項１に記載のパッケージ。
【請求項３】
前記前壁及び前記後壁が、１列のタンポンのみをその間にぴったりと収めることができるように離間している、請求項１に記載のパッケージ。
【請求項４】
前記パッケージが、前記前壁、前記後壁、前記第１の側壁、及び前記第２の側壁の底端部間に延在する底壁を更に備え、
タンポンは、それらの長手方向軸線が前記底壁に垂直、かつ相互に平行となる状態で配置される、請求項３に記載のパッケージ。
【請求項５】
前記タンポンが、前記タンポンを前記パッケージ内で適所に固定するが、前記タンポンを前記パッケージから意図的に取り出すことを可能にするように、前記底壁に接着される、請求項４に記載のパッケージ。
【請求項６】
前記第１及び第２の側壁が、１つの端部で先細になり、前記前壁及び後壁が、前記第１及び第２の側壁の前記先細の端部に沿って前記パッケージを閉じるように、前記底壁の反対側で共に保持される、請求項４に記載のパッケージ。
【請求項７】
前記パッケージが、そこに保持されるすべてのタンポンの使用後、廃棄を容易にするために板紙から形成される、請求項１に記載のパッケージ。
【請求項８】
タンポンが保持される中箱を更に備え、
前記パッケージの前記側壁が、前記中箱の側壁であり、
前記前壁が、前記中箱内のタンポンへアクセスするために、前記中箱から移動可能なフラップである、請求項１に記載のパッケージ。
【請求項９】
前記中箱が、前壁及び後壁を有し、
前記中箱の前記前壁及び後壁は、前記中箱内に保持されるタンポンの一部が前記中箱の前壁及び後壁の上縁部より上に延在するように、前記中箱内に保持されるタンポンの長さよりも短く、
前記パッケージの前記前壁及び前記後壁が、前記中箱の前壁及び後壁の上縁部より上に延在する前記中箱内の前記タンポンの前記一部にアクセスするために、前記中箱から移動可能であるフラップである、請求項８に記載のパッケージ。
【請求項１０】
小売販売のためのタンポンの梱包方法において、
使い捨てパック内に、１日分のみのタンポンを予め梱包することと、
小売陳列空間に定置するために、外側小売パッケージに複数の前記使い捨てパックを提供することと、を含み、
消費者が、１日分のタンポンを得るために、１日分の前記小売パッケージから、個々のタンポンを取り出すことを必要とせずに、前記外側小売パッケージから、予め梱包された使い捨てパックを取り出しさえすればよい、方法。
【請求項１１】
タンポンのためのパッケージにおいて、
前壁と、
前記前壁から離間し、かつ前記前壁に対向する後壁と、
前記前壁と後壁との間に延在する第１の側壁と、
前記第１の側壁に対向し、かつそこから離間する、前記前壁と後壁との間に延在する第２の側壁と、
前記前壁、前記後壁、前記第１の側壁、及び前記第２の側壁の間に延在する底壁と、を備え、
タンポンは、それらの長手方向軸線が前記底壁に垂直、かつ相互に平行となる状態で配置され、
前記前壁及び前記後壁が、１列のタンポンのみをその間にぴったりと収めることができるように離間しており、
前記パッケージが、前記タンポンの前記長手方向軸線に沿って、タンポンを前記パッケージから取り出すことができるように、上端部で開口している、パッケージ。
【請求項１２】
パッケージにおいて、
前壁、前記前壁から離間する後壁、互いに離間し、かつ前記前壁と後壁との間に延在する第１及び第２の側壁、並びに前記前壁、前記後壁、及び前記第１及び第２の側壁の底端部間に延在する底壁を備える、中箱と、
前パネル、後パネル、並びに前記前パネル及び後パネルの底端部間に延在する底パネルを備える外スリーブと、を備え、
前記外スリーブの前記底パネルは、前記前パネル及び前記外スリーブが、前記前壁を被覆し、かつ前記パネルのうちの少なくとも１つが、前記中箱にアクセスするために移動可能であるように、前記中箱の前記底壁に結合され、
前記外スリーブの前記前パネル及び後パネルは、前記底パネルと反対側の端部に共に直接結合される、パッケージ。
【請求項１３】
先細パッケージにおいて、
前壁、前記前壁から離間する後壁、互いに離間し、かつ前記前壁と後壁との間に延在する第１及び第２の側壁、並びに前記前壁、前記後壁、及び前記第１及び第２の側壁の底端部間に延在する底壁であって、前記前壁及び前記後壁の上端部は、側面から見た際、前記パッケージが先細の形状を有するように、共に直接結合する、前壁、後壁、第１及び第２の側壁、並びに底壁と、
前記パッケージを閉じるように、前記前壁及び前記後壁を共に維持するクロージャであって、（ａ）前記前壁及び前記後壁を共に結合する係合要素と、（ｂ）視界から前記係合要素を被覆する被覆要素と、を備える、クロージャと、を備える、先細パッケージ。
【請求項１４】
パッケージのためのクロージャであって、前記クロージャは、ユーザーに、前記パッケージが閉じられたことを確認する、フィードバックを提供する、クロージャにおいて、
前記パッケージを閉じるように、共に選択的に係合し、かつ前記パッケージを開くように、互いから係合解除される、係合要素と、
視界から前記係合要素を被覆する、被覆要素と、を備え、
前記パッケージが閉じられたという、前記ユーザーへのキューが、前記係合要素が前記被覆要素内で係合する際に生成される、クロージャ。
【請求項１５】
タンポンのための使い捨てパッケージにおいて、
前記パッケージが４つを超えないタンポンを収容できるように、相互に離間する側壁と、
ユーザーに、前記パッケージが閉じられたことを確認するフィードバックを提供するように形成されたクロージャと、を備える、使い捨てパッケージ。
【発明の詳細な説明】
【技術分野】
【０００１】
本発明は、タンポン等の物品のためのパッケージに関する。より具体的には、本発明は、鞄若しくはポケットの中で、又は別の目立たない様式で、容易に収納及び携帯可能である、タンポンのための可搬式パッケージに関する。加えて、本発明は、可搬式パッケージに関し、該パッケージは、その中身の容易な取り出しを可能にするが、該パッケージを小さな空間に容易に収納することもなお可能にする。また、本発明は、先細パッケージの改善にも関する。本発明は、更に、限定されないが、先細パッケージ等のパッケージのためのクロージャに関する。
【背景技術】
【０００２】
個人用の婦人衛生物品の保管及持ち運びのためのパッケージは、既知である。それらは、女性がより多くの時間を自宅から離れて過ごし、個人的な愛用の衛生物品の少量の予備を携帯するのに便利であることを見出すに伴って、一層一般的になっている。特に、女性は、鞄、ブリーフケース、小型鞄、及び洋服のポケットの中に、１日分の婦人衛生物品を携帯することを好む。残念ながら、女性は一杯にしたパッケージを鞄の中に入れると、必要になるまでそのパッケージのことを忘れてしまうことが頻繁にある。しばしば、そのパッケージは鞄の底に落ちて、埃、小銭、ペン、及び他の諸々の身の回り品に曝される。パッケージは、時には押潰され、それ自体開いてしまう。これにより、パッケージ及び／又は個々の婦人衛生物品にくずが入り込み、パッケージから係合解除し、汚染又は変形により使用不可能となる。このため、このようなパッケージは、内側の中身が汚染しないように保つ能力も有しながら、丈夫で目立たなくあるべきである。また、パッケージは、鞄の中の他の様々な中身がずれる間、確実にパッケージが閉じたままであり、かつ婦人衛生物品がパッケージ内にしっかりと収容されたままであるようにする、クロージャを有するべきである。
【０００３】
婦人衛生パッケージを鞄又はポケット内で携帯することに関する別の課題は、騒音であり得る。一部のパッケージ、特に指式タンポンパッケージ内では、タンポンが取り出されると、残りのタンポンは、パッケージ内で移動する、又は音を立てる、ある程度の自由度を有する。これは、しばしば、鞄や洋服が移動又はずれを受ける時に、騒音が生成される結果となる。
【０００４】
多くの女性は、月経中であることに関するプライバシーを維持しながら、お洒落で審美的に美しい鞄等の装飾品を携帯することを楽しむ。一部の鞄は、開口した、又はジッパー式の区画を側面に有する。これらの区画は、典型的には、ポケット型であり、平らになることが意図されている。女性がこれらの区画に小銭又は婦人衛生物品のパッケージを定置することは珍しくない。婦人衛生物品が、それらを収容する装飾品のイメージ全体を損なわないように、婦人衛生物品がそのような装飾品の中で突出しないことが、特に望ましい。複数の婦人衛生物品を収容し、鞄の区画の平らな様式の範囲内に定置するのに好適である小型パッケージを有するには、全体の形状がパッケージの体積を最小限に抑えるように、パッケージが設計されることが要求される。加えて、収納するための小さな空間への挿入を容易にする形状であるパッケージを有することは、特に有益である。
【０００５】
目立たないことは重要ではあるが、女性が婦人衛生物品を容易に取り出せる能力が、小型のパッケージサイズに、容易に妥協されてはならない。パッケージ内側の中身へのアクセスを達成する１つの方法は、再度閉じることのできる蓋又はフラップを組み込むことである。蓋の構成に依存して、得られるパッケージは、サイズ及び形状において嵩高になり得る。しばしば、嵩高なパッケージは、ポケット又は鞄の側面区画内で携帯される際に突出をもたらす。加えて、個人用又は公衆トイレでのプライバシー内であろうと、パッケージの中身全体を落とす心配を抱かずに、タンポン等の単一の婦人衛生物品を容易に、かつさほどパッケージを操作することなく取り出せることも、女性にとっては重要である。
【０００６】
時折、女性が鞄又は区画から対象物を取り出そうとした時に、個々の又はパッケージされた物品が鞄から落ち、特に男女混合の席ではきまりの悪い状況を招くことがある。それゆえ、目立たなくありながら、個々の婦人衛生物品が不注意で落ちないことを保証する、パッケージを有することが望ましい。
【０００７】
パッケージの中身にアクセスするために容易に開くことを可能にし、かつパッケージを再度閉じることを可能にする、小型パッケージのための様々なクロージャが、当該技術分野において既知である。小型パッケージは狭い空間に定置することができるため、狭い空間からパッケージを取り出す際に不注意に開くことに逆らうクロージャを提供することが、特に望ましい。これは、特に、パッケージを取り出す際に中身が落ちることを防止する、婦人衛生物品のためのパッケージの場合である。
〔課題を解決するための手段〕
【０００８】
したがって、衛生的な環境にタンポンを維持しつつ、それらをしっかりと適所に保持する、婦人衛生物品を保管するためのパッケージが必要である。本発明の原理によれば、１日分の婦人衛生物品が、タンポンを収容し、女性が自宅の外で過ごす１日を通じて、目立たない様式で携帯できる状態になった、タンポンの既製パッケージの中に提供される。そのような複数のパッケージは、好ましくは、そのような複数の１日パックが収容される外側小売パックの中に提供される。購入者は、１日に使用するための既製の１日パックのうちの１つをただ取り出せばよく、その日の所定の数のタンポンを取り出して、別個の容器にそれらを定置する必要は全くない。したがって、本発明の１つの態様によれば、１日分のタンポンが、マスターカートンから容易に取り出され、必要な時に使用するために収納されるように、予め梱包された小型パックの中に提供される。
【０００９】
本発明の別の態様によれば、タンポンは、小さな鞄やポケット等の狭い又は細い空間内に収納されるように、十分細長いパッケージの中に提供される。例えば、タンポンは、使い捨てパッケージの中に１列に配置されてもよい。タンポンは、長手方向軸線に沿って取り出されてもよい。得られるパッケージは、小さな空間に容易に収納することができ、（既存のシェル型のタンポン用ケースのように）パッケージを開くために多くの空間を必要とすることなく、タンポンを取り出すことができる。タンポンは、パッケージの基部に接着されてもよい。パッケージ内での１列のタンポンの配置、タンポンがその長手方向軸線に沿って取り出されるようなパッケージの形成、及び／又はタンポンが収容されるパッケージの基部へのタンポンの接着は、すべて、本発明の原理によって形成される１日パックにとって有益であるが、他のタンポンパッケージにおいても有益であり得る全特徴であることが認識されよう。
【００１０】
本発明の関連する態様によれば、タンポンパッケージの外輪郭は、先細端部を備える細長に構成されてもよい。したがって、パッケージを目立たないように携帯することができるように、小さな空間にパッケージを容易に挿入することができる。そのような先細は、様々な様式のいずれかによって達成することができる。例えば、パッケージの所望の先細をもたらすように、パッケージの対向する壁の上端部を共に直接結合することができる。更に、パッケージのクロージャは、所望時に簡単に開くが、その収納位置への挿入時、収納中、又はその収納位置から取り出す際に、開くのに抵抗するように、十分に丈夫であるか、ないしは別の方法で、形成されるべきである。また、パッケージがしっかりと閉じられた際に、ユーザーにキューが与えられることも役立つ。このキューは、微かなクリック音であるか、又はユーザーの指が検出する触感であってもよい。
【００１１】
本発明の原理によって形成された個々の１日パックは、そのような１日パック以外のものの梱包、及びタンポン以外の品目の梱包に適用することができる、更に有益な特性を有し得る。例えば、その長手方向軸線に沿ったタンポンの取り出しを容易にするために、タンポンが中に配置される中箱と、中箱及びその中のタンポンを被覆する前フラップ及び後フラップを形成する外スリーブとを備えて、１日パックを形成することができる。それぞれ又は両方のフラップを移動させて、中箱を露呈し、タンポンの長手方向軸線に沿った方向の、中箱の一端部からのタンポンの取り出しを可能にすることができる。そのようなパッケージは、タンポンを梱包するためのその利用法から独立した利益を有する。例えば、本発明の原理によって、中箱及び外スリーブを備えて形成されるパッケージは、そのようなパッケージが、小さな空間にぴったりと収まるように先細であることを可能にする。外スリーブによって形成されたフラップは、所望の先細構成を達成するために、共に直接結合することができる。
【００１２】
本発明の更に別の態様によれば、様々な独自の特徴を持つクロージャが提供される。例えば、本発明の原理によって形成されたクロージャは、先細パッケージ上で使用することができるように形成されてもよい。パッケージが先細である場合、クロージャは、しばしば、パッケージの取り出し時、又は更には単にその収納位置にあるパッケージの取り扱い時、なおさら不注意から開きやすい。そのようなクロージャは、先細になったもの以外のパッケージに適用することができる、様々な有益な特徴を有し得る。そのような特徴の１つは、クロージャの係合要素を被覆する被覆要素の提供である。したがって、パッケージが狭い空間に収納される場合も、被覆要素が、不注意で開くことから係合要素を被覆及び保護するため、パッケージの取り出しがそのクロージャの係合要素を係合解除するべきではない。被覆要素を備えるクロージャと併せて提供される際に特に有益であるクロージャの別の特徴は（そのような被覆要素なしでも有益であるが）、係合されて閉じられた時に、ユーザーにキュー等のフィードバックを提供する、クロージャである。フィードバックは、パッケージを閉じるためにクロージャの係合要素に係合すると生成される、触知できる、及び／又は聴覚キューであってもよい。
【００１３】
本発明のこれら及び他の特徴及び利点は、以下の「発明を実施するための形態」から容易に明白となり、本発明の範囲は、添付の特許請求の範囲に記載される。
【図面の簡単な説明】
【００１４】
「発明を実施するための形態」は、類似の参照文字が類似の要素を表す以下の添付図面と併せることにより、より良く理解されるであろう。
【図１】本発明の原理による、１日分のタンポンをそれぞれ収容する個々のパッケージの、代表的な小売パックの斜視図。
【図２】本発明の原理による、１日分のタンポンを収容するパッケージの、部分的に切り取った斜視図。
【図３】本発明の原理による、代表的な先細パッケージの斜視図。
【図４】開いた構成にある、図３のパッケージの斜視図。
【図５】図４に例示される中箱を形成するために使用することができる、代表的なブランクの平面図。
【図６】図５に例示される外スリーブを形成するために使用することができる、代表的なブランクの平面図。
【発明を実施するための形態】
【００１５】
本発明の原理によれば、簡便かつ容易な可搬性、並びに使いやすいパッケージが形成される。本発明の個別かつ独立した態様が、本明細書に記載されることが認識されよう。かかる態様は、少なくとも単独で独自の利益を有し、相互に強化し合う場合もあるが、相互に併せて提供される必要はない。換言すれば、本発明のそれぞれの態様は、個々の独自の利益を有し、したがって、本明細書に開示される他の態様を全く伴わず、又は１つのみと共に、又はすべてではないが、一部と共に、又はそれらのすべてと共に提供されてもよい。
【００１６】
図面の図１を参照すると、本発明の一態様によって形成されるタンポンの小売パッケージ１００は、複数のより小型のパッケージ１０２を収容して販売される。より小型のパッケージ１０２のそれぞれは、限られた数のタンポンを収容するようにサイズ決定され、したがって、小売パッケージ全体より可搬性がある。より小型のパッケージ１０２内に収容されるタンポンの数は、タンポンを携帯する様々な個々の必要性のうちのいずれかを満たすように選択することができる。タンポンの小型パッケージに共通な１つの必要性は、小売パッケージ全体（数日分を収容する）を持っていく必要がないように、１日の使用に十分な、幾つかのタンポンを、家の外で携帯するという要望である。本発明の原理によれば、より小型のパッケージ１０２は、１日分を携帯するようにサイズ決定及び形状化することができ、したがって、本明細書では簡便に、「１日パック」１０２として参照される。好ましくは、１日パック１０２は、鞄又はポケット内で容易に携帯されるように、サイズ決定、形状化、及び構成される。本発明の原理は、タンポン用のパッケージと併せて記載されるが、かかる原理は、他の物品用のパッケージに適用可能であることが認識されよう。
【００１７】
１日パック１０２内に好ましく収容されるべきタンポンの数は、好ましくは、典型的なユーザーが外出する典型的な時間枠（１２〜１８時間等）での典型的なユーザーの必要性、１日パック１０２に所望される最大サイズ、タンポンの吸収レベル（高吸収力のタンポンは、典型的にはより大きな厚み又は直径を有し、したがって、低吸収力のタンポンより多くの空間を占める）の要因のうちの１つ以上に基づいて選択される。例えば、１日パック１０２は、４つ又は５つを超えないタンポン、好ましくは４つを超えないタンポンを保持するように、サイズ決定することができる。かかるサイズは、典型的なユーザーの１日の必要性に対応するだけでなく、鞄又は更にはズボンのポケット内での、１日パック１０２の容易かつ目立たない収納を可能にする。
【００１８】
タンポンの携帯用ケース（１日分のタンポン用等）は、当該技術分野において既知であるが、１日パック１０２が独自である点は、１日分のタンポンのみを、１日パック１０２の中に予め梱包して販売することである。したがって、１日パック１０２は、既に、外出の間、１日のうちにユーザーによって必要とされる典型的な数のタンポンを収容するように、予め梱包されて販売されているため、携帯用ケースを特定し、所望の数のタンポンを取り出し、それらを携帯用ケース内へ定置する必要がない。複数の１日パック１０２は、単一のマスター箱又は外箱又は小売箱又は携帯用箱又は小売パック１０４（そのようなすべての用語は、消費者が棚等の小売陳列空間で目にし、その中に小売購入用の完全数のタンポンを密封した箱を指し、そのような箱は、限定することを意図せず、簡潔にするために、以下本明細書において「小売パック」として参照される）内に提供することができる。したがって、単に外側の小売パッケージに所定の数のタンポンを提供するのではなく、小売パック１０４は、簡便にそれぞれ１日用に予め梱包された、幾つかの個々の１日パック１０２を提供する。したがって、ユーザーは、その日の間十分なタンポンを有するように、単に１日パック１０２を小売パック１０４から取りさえすればよく、小売箱からタンポンを取り出し、かかるタンポンを別個の携帯用ケースに移す必要はない。好ましくは、１日パック１０２は、ユーザーにとっての完全な簡便性のために、使い捨て式であるように形成される。より好ましくは、１日パック１０２は、そのサイズを縮小、並びに廃棄物を削減（その中のタンポンがすべて使用された際の廃棄時）するように、薄い材料から形成される。最も好ましくは、該材料は、生分解性である。
【００１９】
所望に応じて、小売パック１０４は、その中の１日パック１０２を見ることができるように、少なくとも１つの開いた側面１０６を有することができる。したがって、ユーザーは、小売パック１０４内のタンポンの独自のパッケージを容易に見ることができる。更に、１日パック１０２が独自の形状（以下で更に詳細に記載される、図３及び４の１日パック１０２に具現化されるような、先細の形状等）を有する場合、開いた側面１０６を通じて、かかる独自の形状を容易に見ることができる。
【００２０】
典型的には、タンポン用の可搬式パッケージ又は入れ物又はケースは、目立たず、かつ小さな空間（鞄、鞄若しくは他のより大きな品物の区画、又はポケット内等）に収納され得ることが望ましいため、１日パック１０２は、できる限り細長くあることが望ましくあり得る。例えば、１日パック１０２内に保持されるタンポン１１０は、それらの長手方向軸線Ａを相互に平行にし、１日パック１０２の底壁又は基部１２０と実質的に垂直にして、１列に整列されてもよい。かかる配置は、図２に例示される代表的な開いた１日パック１０２を参照して認識され得るように、１日パック１０２の厚みＴを最小限に抑える。したがって、本発明の一態様によれば、タンポン用の１日パック１０２は、１列のみの、４つ又は５つを超えない、好ましくは４つのタンポン１１０を収容するように、サイズ決定及び構成される。
【００２１】
１日パック１０２等の使い捨てパッケージ内で、１列のみにタンポンを提供することは、タンポンが１日パック１０２から取り出される際に、タンポンが押潰される可能性又は確度を低減する、更なる利益を提供し得る。これは、１日パック１０２の厚みＴが、単一タンポンのみに対して十分に大きい場合、１日パック１０２内のタンポンは、１日パック１０２の幅Ｗに沿って横方向にずれ得るが、厚みＴに沿って突き出ることはできないためである。したがって、１つの運動度のみを有することで、１日パック１０２内でのタンポンのずれが低減され、タンポンが相互に更なる方向にずれ得る場合よりも、タンポンが相互に押潰される確度が低減する。本発明の本態様は、１日パック１０２内のタンポンが指式であり、したがってアプリケーターによって与えられる、押潰しに対する保護からの利益を受けない場合、特に有益である。
【００２２】
本発明のまた更なる態様によれば、タンポンは、軽い接着剤又はワックスの使用を通じて、１日パック１０２内のそれらの位置に維持することができる。図２の代表的な実施形態に例示されるように、指で挿入されるタンポンは、若干ドーム型の、湾曲した、ないしは別の弾丸形状の挿入先端部１１２を有し得るため、より平らな引き抜き端部１１４に沿って接着剤を利用し、かかる端部を１日パック１０２の基部１２０に接着することが好ましい。軽量の包装された物品を、梱包材料（厚紙又は板紙等）に剥離可能に固定及び／又は接着するために使用される、任意の既知の材料を使用することができる。例えば、ワックス又はグルードット形式の接着剤は、タンポンを囲む包装材料（例えば、２００４年９月２３日に公開された国際公開特許ＷＯ２００４／０８０３６２号で開示される包装材料等であり、この特許は、参照することによりその全体が本明細書に組み込まれる）と、パッケージを形成するために一般的に使用されるほとんどの材料との間に恒久的な固着を形成しないため、使用することができる。接着剤は、好ましくは、容易に乾き切らない、タンポンをしっかりと保持する、１日パック１０２から意図的に引っ張られた時には、タンポンの容易な取り出しを可能にする性質のうちのいずれか又はすべてを有するように選択される。かかる接着剤は、更なるずれを低減するようにタンポンを適所に保つのに有用であり得、これにより、タンポンが１日パック１０２から取り出される時に、１日パック１０２の中に残るタンポンが押潰される確度を更に低減することができる。また、１日パック１０２内でのタンポン１１０のずれの低減は、タンポンが１日パック１０２内で相互に、かつ１日パック１０２の内部に対してずれる時に生成され得る、任意の騒音（カラカラと音を立てる等）を低減するために望ましい。更に、かかる接着剤は、１日パック１０２内のタンポンが、意図せずに１日パック１０２から落ちないように、それらを維持するのに有益であり得る。好ましくは、接着の程度は、１日パック１０２内のタンポン１１０を実質的に直立の位置に維持する（そのため、１日パック１０２から１つ以上が既に取り出されている場合、タンポン１１０が相互に傾かないか、又は寄り掛からない）が、なお、タンポンを捻る及び引っ張る等によって、タンポン１１０の容易な、意図的な取り出しを可能にする接着の程度で十分である。したがって、タンポン１１０は、その長手方向軸線Ａに沿って取り出すことができる。
【００２３】
１日パック１０２の細長い構成は、１日パック１０２を形成するために比較的薄い材料が使用される際に、更に強化される。好ましくは、材料は、１日パック１０２の厚みＴに実質的に寄与せず、厚みＴは、１日パック１０２内のタンポンの厚みよりはるかに大きくはないように選択される。加えて、やはり好ましい材料は、１日パック１０２内のタンポンを損傷、変形、水分、及び汚染等から保護するのに十分丈夫であるが、１日パック１０２の重量、嵩、可搬性等に実質的に影響を与えないように、十分に軽量である。好ましくは、材料は、その中身が空になったら容易に押潰すことができ、好ましくは生分解性、及び／又は容易に再生利用可能である。１日パック１０２を形成することができる代表的な材料は、板紙である。１日パック１０２の使用を促進するように、厚紙より容易に変形する板紙を選択することができる。約０．３５ｍｍの厚みを有する板紙が、満足できるものであり、１日パック１０２の厚みを実質的に加えることなく、所望の丈夫さを達成することが見出されている。
【００２４】
１日パック１０２は、１日パック１０２の中身と無関係に維持される、明確に画定された形状を１日パック１０２に付与し、したがって、１日パック１０２の元の構成を維持する材料から、形成することができる。しかしながら、代わりに、本発明の特徴（パッケージ内に１日分のみを提供すること等）を損なうことなく、より可撓性の板紙、又はパックの中身の形状に一致する他のより可撓性の材料を使用し得ることが認識されよう。例えば、水不透性も付与する可塑材料が使用されてもよい。かかる塑性体は、袋又は吸収性衛生用品の上包みを形成する、したがって柔らかい側面を持つパッケージを形成するための、現在当該技術分野において既知である、可撓性の液体不透性材料であり得る。例えば、該材料は、好ましくは、耐液性材料でのコーティング又は処理を通じて液体不透性にした、薄膜プラスチックフィルム又は不織布フィルムから製作される。薄い材料の使用は、パッケージが、その中のタンポンの１列又は別の構成を収容するかどうかにかかわらず、１日分を収容するタンポンの小型パッケージの形成にとって有益であることが認識されよう。選択される材料は、以下に記載される本発明の原理によって、更に有益な特徴を可能にすることができる。
【００２５】
１日パック１０２を形成するために板紙が使用される場合、かかる板紙は、水分に対して耐久性があるように形成又は選択することができる。例えば、入手可能であり、当業者に既知であるもの等のコーティングされた板紙を使用することができる。コーティング材料の一例は、薄膜プラスチックフィルムの１種である、２軸配向ポリプロピレンフィルムのための一般用語である、セログレーズ（celloglaze）である。水分保護を達成する他の様式は、印刷プロセスを介して板紙にニスをコーティングすることであり得る。単一材料が好ましいが、本発明にとって特に重要ではない。
【００２６】
４つ又は５つを超えない（より好ましくは４つの）タンポンを保持する１日パックのサイズ、１日パックの細長い形状、及び１日パックを形成するための薄い材料の使用等の、本発明の異なる独立した態様の上記の説明から認識され得るように、本発明の原理によって形成される１日パックの望ましい特性は、ポケット、又は小さな鞄若しくは別の物品の小さな区画（鞄の区画等）等の小さな空間の中に容易に挿入することができる、タンポンパッケージの提供である。本発明の別の独立した態様によれば、１日パックは、先細になった、少なくとも１つの側面又は端部又は縁部（簡便にするため、かつ限定することを意図せず、本明細書で「端部」として参照される）を有し得る。かかる先細化は、ポケット、ないしは別の狭い空間へ１日パックを挿入することを容易にする、並びに、ユーザーが、触知し、かつ１日パックを見る、又は更には自分の鞄から１日パックを引き出すことを必要とせず、１日パックの配向を確定することができるように、１つの端部を別の端部から区別する等の、様々な独立した利益を提供する。図３を参照して例示されたように、上端部２０４等の、代表的な１日パック２０２の少なくとも１つの端部は、かかる端部を先細にする等により、他の端部より狭くてもよい。かかる先細化は、先細の上端部２０４を挿入先端部として、１日パック２０２の狭い空間への挿入を容易にする。先細化は、１日パック２０２の狭い空間への最初の挿入、及び、１日パック２０２の厚みＴ全体、したがって１日パック２０２内のタンポンの厚みを受容するように、狭い空間を徐々に広げることを可能にする。先細は、図４（この図は、開いた構成にある１日パック２０２を例示する）に示される代表的なタンポン２１０等の、タンポン（特に指式タンポン）の上部の典型的なドーム型、湾曲した、ないしは別の弾丸形状に従うように、選択し得ることが認識されよう。かかる先細化は、１日パック２０２を形成するために使用される材料を削減する、更なる利益を提供する（１日パック２０２の中身の形状に従うことによって、１日パック２０２を形成するために、四角又は平らな上部のために使用されるよりも少ない材料が使用される）。更に、かかる先細化は、１日パック２０２とその中のタンポンとの間の空き空間の減少により、１日パック２０２の中身及び１日パック２０２自体を押潰す可能性を更に減少する。
【００２７】
先細端部２０４を有するが、その中の中身への素早くかつ簡単なアクセスを可能にするように、１日パック２０２を形成する１つの様式が、図４に例示される。図４の代表的な１日パック２０２は、中箱３００及び外スリーブ４００を備えて形成され、代表的なブランクが、それぞれ図５及び６で例示され、以下で更に詳細に記載される。「上」、「底」、「前」、「後」、及び「側面」等の方向的な参照は、それぞれの壁又はパネルをそのような配向に限定せず、図３〜６のこれらの壁又はパネルを相互に区別する役割を果たすに過ぎないことに留意されたい。中箱及び外スリーブの配置の利益は、これから明白になるように、中箱及び外スリーブの配置からもたらされる、パッケージを先細化する可能性とは独立していることが認識されよう。したがって、先細化の概念は、中箱３００及び外スリーブ４００を利用するパッケージに適用する必要はない。
【００２８】
図４を参照すると、代表的な中箱３００は、その中に収容されるタンポン２１０の長さＬに沿って部分的にのみ延在する、少なくとも１つの壁を有するように形成される。図４及び５の両方を参照して更に認識され得るように、タンポン２１０の長さＬより短い最大高さＨ１を備える、前壁３０２及び後壁３０４（タンポン２１０によって視界から隠されている）等の２つの壁を提供することが、（必須ではないが）特に簡便である。中のタンポン２１０の長さＬより短い高さを有する、中箱３００の少なくとも１つの壁を提供することで、中箱３００から簡単に取り出せるように、タンポン２１０の容易な把持を可能にする。中箱３００の側壁３０６は、タンポン２１０より短い必要はない。図４の実施形態では、側壁３０６は、少なくとも又はほとんどタンポン２１０の長さ全体に延在する、高さＨ２を有し得る。所望に応じて、側壁３０６は、１日パック２０２が（図３のように）閉じられた時に、タンポン２１０が実質的に完全に側壁３０６によって被覆され、それにより、損傷又は汚染からタンポン２１０を保護し、タンポン２１０を視界から隠しもするように、タンポン２１０の断面形状に従うように、形状化されてもよい。
【００２９】
タンポン２１０の上部分は、図４の実施形態の中箱３００の少なくとも１つの壁より上で露出するため、中箱３００の壁は、タンポンを取り出すために操作、ないしは別の方法で変更される必要はない（タンポンが、中箱３００の側壁によって完全に取り囲まれている場合、ユーザーが、タンポンを把持して取り出すために、中箱３００内、及びタンポンと側壁のうちの少なくとも２つの内側表面との間、又はタンポン間、又は壁とタンポンとの間に、指を挿入しなければならない）。したがって、中箱３００は、その中に収容されるタンポン２１０の列に密接に従い、一致し、それにより、中箱３００を形成するために必要とされる材料を削減し、その中のタンポン２１０がずれる確度が減少するように（余分な空間がほとんど提供されないため）、サイズ決定及び寸法決定することができる。タンポン２１０は、中箱３００との厳しい許容度によって、１日パック２０２内にしっかりと保持することができ、それによって、タンポン２１０が中箱３００から意図せずに落ちることを防止しないまでも、抑制することができる。したがって、中箱３００を外スリーブ４００によって被覆したパッケージの構成は、パッケージの先細端部の形成を容易にするが、かかる配置は、タンポン２１０の取り出し時のパッケージの変形の低減、並びに、パッケージが先細端部を有するかどうかにかかわらず、梱包材料の削減も可能にする。
【００３０】
図４の中箱３００を形成するための、代表的なブランク３００’を図５に例示する。図４の中箱３００の前壁３０２及び後壁３０４をそれぞれ形成する、前パネル３０２’及び後パネル３０４’は、側面パネル３０６’ａ及び３０６’ｂよりも短い。前壁３０２’及び後壁３０４’のそれぞれ上縁部３０３’及び３０５’は、弓状であるが、代わりに、直線状を含む任意の他の形状であってもよい。側面パネル３０６’ａ及び３０６’ｂは、ブランク３００’から形成される、中箱３００内に収容されるタンポン２１０の形状に従う、アーチ状の上方縁部３０７’を有する。しかしながら、上方縁部３０７’は、四角を含む（１日パック２０２が先細端部２０４を伴って形成されない場合等）、任意の他の所望の様式に形状化することができる。中箱３００を取り囲む壁（タンポンの長手方向軸線Ａが、好ましくは、相対して実質的に平行に保持される、タンポン２１０を取り囲む壁）を形成するために、ブランク３００’のパネル３０６’ａ、３０２’、３０６’ｂ、及び３０４’は、それぞれ折り目３１１’、３１３’、及び３１５’に沿って折り曲げられ、側面接続パネル３１６’は、折り目３１７’に沿って折り曲げられ、側面パネル３０６’ａの内側に面した（タンポンに面した）表面に結合される。加えて、底パネル３１２’ａ及び３１２’ｂは、それぞれ折り目３２３’及び３２５’に沿って折り曲げられ、相互に重ね合わされて（どのパネルがもう一方の上になるかの具体的な配置は特に重要ではない）、中箱３００の底壁３１２を形成する。
【００３１】
認識され得るように、代表的な１日パック２０２の中箱３００内に収容されるタンポン２１０を、損傷、変形、水分、汚染等から保護することが望ましい。上記のように、中箱３００を有することによりその中の収容されるタンポン２１０の形状を反映し、タンポン２１０はしっかりと適所に保持され、それによって、相互に圧縮し合わないように保護する。加えて、中箱の形状は、中箱３００、前パネル４０２、及び後パネル４０４の端部が密接に隣接し、汚染物質が入る余地をほとんど残さないため、収容されるタンポン２１０が、埃、塵、くず、及び他の汚染物質と接触することから保護することができる。図４及び５の代表的な実施形態では、外スリーブ４００は、中箱３００のより短い前壁３０２（及び所望により、より短い後壁３０４）より上で露出するタンポン２１０の一部分を被覆する。図４及び５の代表的な実施形態のように、側壁３０６が、実質的にタンポン２１０の高さ全体に延在する場合、外スリーブ４００は、側壁３０６と共に、中箱３００内のタンポン２１０を取り囲み、保護する。
【００３２】
本発明の一態様によれば、外スリーブ４００の少なくとも前壁４０２は、及び所望により後壁４０４も同様に、タンポン２１０の露出した部分を選択的に被覆するフラップとして機能することができ、中箱３００から離れて移動させて、中箱３００からタンポン２１０を素早くかつ簡単に取り出すことを可能にし得る。かかるフラップは、ユーザーが、片手で、及び更には１日パック２０２がユーザーの鞄若しくはポケット（又は他の収納位置）内にある間に、１日パック２０２を開き、そこからタンポンを取り出し、１日パック２０２を閉じることができるように、片手操作を容易にするようにサイズ決定、寸法決定、及び別の方法で構成することができる。また、前壁４０２及び後壁４０４のフラップとしての形成は、上記の先細端部２０４の形成を容易にする。しかしながらその代わりに、所望に応じて、所望によりヒンジ式の蓋又は他の種類の中箱３００へのアクセスを備える、標準的な四角い上端部が提供されてもよい。
【００３３】
図４の外スリーブ４００を形成するための代表的なブランク４００’が、図６に例示される。簡便にするために、以下の、外スリーブのブランク４００’の更なる説明に関して明白となるように、外スリーブのブランク４００’は、その外側表面を示すものとして、図６を参照して説明される（図４で中箱３００に面している内側表面は、図６では見えない外スリーブのブランク４００’のもう一方の側面にある）。前パネル４０２’は、底パネル４１２’に対する前の折り目４０３’に沿って折り曲げられ、後パネル４０４’は、底パネル４１２’に対する後ろの折り目４０５’に沿って折り曲げられて（前パネル４０２’及び後パネル４０４’の両方は、図６を有する頁の方向に折り曲げられる）、図４に示される外スリーブ４００の前壁４０２及び後壁４０４を形成する。中箱３００の底壁３１２は、好ましくは、中箱３００内のタンポン２１０を被覆し、タンポン２１０の上で閉じるよう、外スリーブ４００を中箱３００の上に適切に位置付けるように、底パネル４１２’の内側表面に結合される。所望に応じて、外スリーブ４００は、接着剤等によって、中箱３００の上及び中箱３００に固定されてもよい。
【００３４】
外スリーブ４００は、１日パック２０２の外観に寄与するように、任意の所望の様式で形成することができる。上記の本発明の一態様によれば、中箱３００及び外スリーブ４００からの１日パック２０２の形成は、１日パック２０２の限定された空間への挿入を容易にするように、少なくとも１つの先細端部２０４を伴って、１日パック２０２を容易に形成することを可能にする。先細端部２０４を備える先細１日パック２０２の代表的な実施形態が、図３、４、及び６に例示される。しかしながら、中箱３００及び外スリーブ４００からの１日パック２０２の形成は、独立した利益を提供し、したがって、そのように形成される１日パックは、独自の利益を提供するために先細端部を有する必要がないことが認識されよう。例えば、中箱３００及び外スリーブ４００からの１日パック２０２の形成は、比較的丈夫であるが可撓性である材料を用いて、できる限り小型のパッケージを形成する能力と、パッケージを変形せずにタンポンを取り出すことができるように、タンポンをパッケージの一部分より上に延在させる能力とを提供する。
【００３５】
一般に、タンポンが落ちることを防止するのと同様、中に保持されるタンポンを被覆及び保護するように、本発明の原理によって形成された１日パックを閉じた構成に維持することが望ましい。図３及び４の代表的な１日パック２０２には、クロージャの実際の係合要素を被覆し、保護する、被覆要素を含むクロージャ４２０が提供され、その結果、係合要素は、１日パック２０２の収納時、又は１日パック２０２を収納から取り出す時、あるいは単に１日パック２０２がその収納位置にある間等に、不注意で互いから係合解除され得ない。図３及び４の代表的なクロージャ４２０は、外スリーブ４００の前壁４０２及び後壁４０４の上端部を囲み、共に保持し（相互に平ら等）、クロージャ要素を被覆する、バンドに類似した被覆要素を有する。しかしながら、代わりに、バンドに類似しているかどうかに関わらず、壁４０２及び４０４を相互に平らに保持するか、ないしは別の方法で、パッケージの先細端部のための他のクロージャを使用し得ることが認識されよう。代表的なクロージャ４２０の、以下のより詳細な説明を参照して認識されるように、クロージャ４２０は、外スリーブ４００が先細端部２０４の先細を維持するのを可能にする様式で形成及び提供されるが、クロージャ４２０によって提供される様々な利益は、先細パッケージの先細を可能にする、及び／又は維持するクロージャ４２０とは独立していることに更に留意されたい。
【００３６】
図６の代表的な外スリーブのブランク４００’は、幾つかの独自の特徴及び利益を有するクロージャ４２０を形成するために使用することができるパネルを例示する。上述の通り、外スリーブのブランクパネル４０２’、４１２’、及び４０４’は、図４及び５のような外スリーブ４００を形成するように折り曲げられる。したがって、クロージャフラップパネル４２２’から形成されるクロージャフラップ４２２は、前壁４０２の上端部に配向され、クロージャタブパネル４２４’から形成されるクロージャタブ４２４が、そこから（図６の代表的な実施形態の場合はクロージャフラップパネル４２２’の自由縁部から）延在する。被覆クロージャパネル４３２’は、これから明白になる理由から、外スリーブのブランク４００’の内側表面（図６に示される表面と反対側の）に向かって、かつ折り目４３３’ａ及び４３３’ｂに沿ってクロージャパネル４３６’に対して折り曲げられて、後壁４０４の上端部でクロージャパネル４３６’内のクロージャスロット４３８を被覆する。２つの折り目４３３’ａ及び４３３’ｂの提供によって、被覆クロージャパネル４３２’がクロージャパネル４３６’から十分離間して、クロージャフラップ４２２及びクロージャタブ４２４を受容するために十分広い受容チャネル４３１をそれらの間に（図４を参照）形成できるようになる。被覆クロージャパネル４３２’がクロージャパネル４３６’に対して折り曲げられた後、側面クロージャパネル４３４’ａが、後パネル４０４’の外側表面に向かって、折り目４３５’ａ及び４３５’ｂに沿って被覆クロージャパネル４３２’に対して折り曲げられる。同様に、側面クロージャパネル４３４’ｂは、折り目４３７’ａ及び４３７’ｂに沿って、かつ後パネル４０４’の外側表面に向かって、被覆クロージャパネル４３２’に対して折り曲げられる。再度、折り目４３５’ａ及び４３５’ｂ並びに４３７’ａ及び４３７’ｂの対の提供によって、被覆クロージャパネル４３２’がクロージャパネル４３６’から離間して、それらの間に受容チャネル４３１を形成できるようになる。側面クロージャパネル４３４’ａ及び４３４’ｂは、クロージャパネル４３２’、４３４’ａ、及び４３４’ｂを適所に固定して、クロージャスロット４３８を囲むクロージャバンド４３０を形成するように、相互に重ね合わされる（順序は重要でない）。認識されるように、代表的な１日パック２０２を閉じるためには、クロージャフラップ４２２がクロージャバンド４３０内の受容チャネル４３１に挿入され、クロージャタブ４２４がクロージャスロット４３８に挿入される。クロージャフラップパネル４２２’及びクロージャパネル４３６’は、実質的に相互に平らに置かれ、それによって１日パック２０２の先細端部２０４の先細を維持するように、クロージャフラップパネル４２２’は、前パネル４０２’に対する折り目４２１’に沿ってわずかに折り曲げられ、クロージャパネル４３６’は、折り目４３５’に沿ってわずかに折り曲げられる。更に、互いの上及びクロージャパネル４３６’の外側表面上の、側面クロージャパネル４３４’ａ及び４３４’ｂの折り曲げ、並びにクロージャパネル４３６’の内側表面上の被覆クロージャパネル４３２’の折り曲げは、１日パック２０２の先細区分２０４に多層領域をもたらす。かかる多層は先細区分２０４に強度を追加するが、別の方法では、特に先細区分２０４がタンポン２１０（又は１日パック２０２等のパッケージ内に収容される他の物品）より上に延在し、したがって、タンポン２１０の材料によって強化又は補強されない実施形態において、はるかにより可撓性であり、潜在的に屈曲及び可能性のある損傷を受けやすい。
【００３７】
１日パック２０２が意図せず開くことを抑制するようにクロージャ４２０が機能する、幾つかの様式がある。上記で指摘したように、受容チャネル４３１は、その中のクロージャフラップ４２２及びクロージャタブ４２４の挿入を可能にするように、サイズ決定される。受容チャネル４３１のサイズは、クロージャフラップ４２２を中にしっかりと維持するように選択することができる。例えば、クロージャフラップ４２２及びクロージャタブ４２４は、クロージャタブ４２４をクロージャスロット４３８の中に挿入するように、クロージャパネル４３６’に沿って受容チャネル４３１の中に摺動されてもよい（受容チャネル４３１の狭さを前提として）。所望に応じて、受容チャネル４３１は、クロージャフラップ４２２をクロージャパネル４３６’と密接に接触するように維持するように、サイズ決定されてもよい。クロージャ側面パネル４３４’ａ及び４３４’ｂは、クロージャパネル４３６’の外側表面を被覆するように折り曲げられると、クロージャタブ４２４が別のものに引っ掛かって、スロット４３８から外れることを防止する等によって、クロージャタブ４２４をクロージャスロット４３８内に保持する、保持パネルとして機能する。あるいは、又は加えて、受容チャネル４３１は、受容チャネル４３１への挿入時に、クロージャタブ４２４を、クロージャフラップ４２２の内側表面に向かって折り曲がらせるように、サイズ決定されてもよい。したがって、クロージャタブ４２４は、クロージャタブ４２４が、クロージャスロット４３８の中に容易に引っ掛かることができるように、魚のフック又はかかり（barb）に似た構成を持つ。クロージャバンド４３０は、クロージャフラップ４２２を受容チャネル４３１内の適所に保持するように構成することができ、その結果、クロージャタブ４２４は、同様にクロージャスロット４３８内の適所にとどまり、不注意でクロージャスロット４３８から出てくることはない。所望に応じて、側面クロージャパネル４３４’ａ及び４３４’ｂは、クロージャタブ４２４がクロージャスロット４３８内に引っ掛かるのを維持するように、クロージャパネル４３６’に対して形成及び折り曲げられてもよい。例えば、側面クロージャパネル４３４’ａ及び４３４’ｂは、クロージャタブ４２４を、クロージャスロット４３８に引っ掛けられた、折り重なった位置に保持することによって、クロージャタブ４２４をクロージャスロット４３８内に捕捉するように補助してもよい。また、側面クロージャパネル４３４’ａ及び４３４’ｂは、クロージャタブ４２４が何にも引っ掛からず、不注意でクロージャスロット４３８からフックが取れて外れることができないように、クロージャタブ４２４が延在し始めるクロージャスロット４３８の外側表面を被覆する。
【００３８】
クロージャ４２０が提供し得る更なる特徴は、クロージャ４２０がしっかりと閉じていることを確認する、キュー又はフィードバック特徴である。かかるフィードバックは、クロージャ４２０の係合要素が、クロージャバンド４３０等の被覆要素によって隠れている場合、特に望ましい。特に、クロージャパネル４３６’及びクロージャスロット４３８に対する、側面クロージャパネル４３４’ａ及び４３４’ｂの配置は、クロージャタブ４２４のクロージャスロット４３８への挿入時、クロージャタブ４２４が、側面クロージャパネル４３４’ａ及び４３４’ｂ並びにクロージャパネル４３６’と密接に接触するように保持されるのを可能にする。そのような密接な接触は、クロージャタブ４２４をクロージャスロット４３８内の適所に保つのを補助するのみならず、クロージャ４２０がしっかりと閉じていることを確認するフィードバックを、ユーザーに提供することもできる。かかるフィードバックは、クロージャスロット４３８内、並びに側面クロージャバンドパネル４３４’ａ及び４３４’ｂとクロージャパネル４３６’との間の、クロージャタブ４２４の密接な適合の結果、触知できるものであり得る。好ましくは、フィードバックは、クロージャタブ４２４が、クロージャスロット４３８内の適所にしっかりと保持されていることを確認する、小さなクリック等の、可聴でもある。クロージャフラップ４２２及びクロージャタブ４２４が、摺動して受容チャネル４３１の中に入る実施形態では、クロージャフラップ４２２及びクロージャタブ４２４が、クロージャパネル４３６’に対して十分に摺動された時に、フィードバックが知らせる。
【００３９】
１日パック２０２が適切に閉じられたというフィードバックキューのユーザーへの提供は、タンポンパッケージに対する望ましい特徴であると考えられる。特に、本発明の原理によって、かかるフィードバックは、１日分のタンポンを携帯するための使い捨てパッケージに提供される。したがって、１日分のみのタンポンのための比較的安価なパッケージは、かかるパッケージが適切に閉じられたことを確認するフィードバックをユーザーに提供し、その結果、ユーザーは、中身が不注意で投げ出されないことを保証される。
【００４０】
上述のクロージャ４２０は、板紙パッケージ内に形成されるものとして記載されたが、他の材料を使用し得ることが認識されよう。更に、上述のクロージャ４２０は、簡単に開くこと、不注意で開くことに対する抵抗、丈夫さ、適切に閉じていることを確認するフィードバック、及び狭い空間への挿入を容易にする先細を含むが、これらに限定されない、幾つかの有益な特徴を有する。代表的なクロージャ４２０の特徴のうちのいずれか又は幾つか又はすべてが、本発明の原理によって形成されるクロージャによって、提供されてもよい。本発明のクロージャは、本発明の１日パック以外のパッケージ又はカートンに適用し得ることが、更に認識されよう。
【００４１】
限定されないが、中箱から離れて折れ曲がるフラップ、中からの物品の取り出しを容易にする、一部を切り取った中箱、視界から及び／又は不注意なアクセスから係合要素を隠したクロージャ、係止タブを備えるクロージャ、並びにフィードバック特徴を有するクロージャ等の、上述の１日パック１０２及び２０２の様々な特徴は、様々な形状及び／又はサイズのパッケージに適用することができ、かかる特徴は、必ずしもタンポン用のパッケージ、又は更には先細端部を備えるパッケージに限定されないことが認識されよう。本発明のパッケージの様々な原理は、特にタンポン用に設計されたパッケージに限定される必要はない。同様に、先細端部を備えるパッケージは、タンポン以外の物品を保持するのに有益であり得、パッケージの先細端部を維持するクロージャは、いずれの種類のパッケージにも適用することができる。
【００４２】
上述した本発明の様々な特性は、上述の独創的な特徴のすべてを使用して実装される必要はないことが、更に認識されよう。様々な上述の特徴は、互いに併せて使用される必要はなく、独立して有益であり、したがって、独立して、又はそれらの任意の組み合わせで使用することができる。例えば、４つ又は５つを超えない、好ましくは４つのタンポンを独立して保持するようにサイズ決定された、１日パックの提供は、更に４つ又は５つのタンポンを１列に整列する必要のない、タンポンの小型パッケージをもたらす。したがって、１列のみのタンポンを収容する、本発明の原理によって形成される１日パックの形状及び構成は、予め梱包された１日分のタンポンの基本概念に必須ではない。同様に、１列のタンポンを独立して保持する１日パックの構成は、パッケージの先細端部の追加的特徴を必要とせず、小さな空間に簡単にぴったりと収まるパッケージをもたらす。更に、１日パック１０２の簡便性は、１日パック１０２の材料及び形状とは独立している。最後に、パッケージが適切に閉じていることを確認するフィードバックをユーザーに提供するタンポンパッケージは、本明細書に記載される他のパッケージ特徴を有する必要はない。
【００４３】
前述の説明及び図面は、本発明の代表的な実施形態を表すが、本発明の趣旨及び範囲から逸脱することなく、それらに様々な追加、修正、及び置換を行い得ることが理解されよう。特に、本発明が、他の特定の形態、構造、配置、比率で、また他の要素、材料、及び構成要素を用いて、その趣旨又は本質的な特性から逸脱することなく具現化され得ることが、当業者には明らかとなるであろう。当業者は、本発明が、本発明の原理から逸脱することなく、特定の環境及び動作要件に特に適合される、本発明の実践において使用される、構造、配置、比率、材料、及び構成要素の多くの修正を伴って、並びに別の方法で、使用され得ることを認識するであろう。したがって、今般開示される実施形態は、あらゆる点において、限定的なものではなく、例示的なものであると見なされるべきであり、本発明の範囲は、添付の特許請求の範囲によって示され、前述の説明に限定されることはない。
【００４４】
〔実施の態様〕
（１）  タンポンのためのパッケージにおいて、
前壁と、
前記前壁から離間し、かつ前記前壁に対向する後壁と、
前記前壁と後壁との間に延在する、第１の側壁と、
前記第１の側壁に対向し、かつそこから離間する、前記前壁と後壁との間に延在する第２の側壁と、を備え、
前記前壁、前記後壁、並びに前記第１及び第２の側壁は、前記パッケージが１日分を超えないタンポンを収容することができるように、寸法決定され、かつ相互に離間する、パッケージ。
（２）  前記パッケージが４つを超えないタンポンを収容することができる、実施態様１に記載のパッケージ。
（３）  前記前壁及び前記後壁が、１列のタンポンのみをその間にぴったりと収めることができるように離間している、実施態様１に記載のパッケージ。
（４）  前記パッケージが、前記前壁、前記後壁、前記第１の側壁、及び前記第２の側壁の底端部間に延在する底壁を更に備え、
タンポンは、それらの長手方向軸線が前記底壁に垂直、かつ相互に平行となる状態で配置される、実施態様３に記載のパッケージ。
（５）  前記タンポンが、前記タンポンを前記パッケージ内で適所に固定するが、前記タンポンを前記パッケージから意図的に取り出すことを可能にするように、前記底壁に接着される、実施態様４に記載のパッケージ。
（６）  前記第１及び第２の側壁が、１つの端部で先細になり、前記前壁及び後壁が、前記第１及び第２の側壁の前記先細の端部に沿って前記パッケージを閉じるように、前記底壁の反対側で共に保持される、実施態様４に記載のパッケージ。
（７）  前記パッケージが、そこに保持されるすべてのタンポンの使用後、廃棄を容易にするために板紙から形成される、実施態様１に記載のパッケージ。
（８）  タンポンが保持される中箱を更に備え、
前記パッケージの前記側壁が、前記中箱の側壁であり、
前記前壁が、前記中箱内のタンポンへアクセスするために、前記中箱から移動可能なフラップである、実施態様１に記載のパッケージ。
（９）  前記中箱が、前壁及び後壁を有し、
前記中箱の前記前壁及び後壁は、前記中箱内に保持されるタンポンの一部が前記中箱の前壁及び後壁の上縁部より上に延在するように、前記中箱内に保持されるタンポンの長さよりも短く、
前記パッケージの前記前壁及び前記後壁が、前記中箱の前壁及び後壁の上縁部より上に延在する前記中箱内の前記タンポンの前記一部にアクセスするために、前記中箱から移動可能であるフラップである、実施態様８に記載のパッケージ。
（１０）  小売販売のためのタンポンの梱包方法において、
使い捨てパック内に、１日分のみのタンポンを予め梱包することと、
小売陳列空間に定置するために、外側小売パッケージに複数の前記使い捨てパックを提供することと、を含み、
消費者が、１日分のタンポンを得るために、１日分の前記小売パッケージから、個々のタンポンを取り出すことを必要とせずに、前記外側小売パッケージから、予め梱包された使い捨てパックを取り出しさえすればよい、方法。
【００４５】
（１１）  前記パック内に、５つを超えないタンポンを提供することを更に含む、実施態様１０に記載の方法。
（１２）  前記パック内に、４つを超えないタンポンを提供することを更に含む、実施態様１１に記載の方法。
（１３）  前記パック内に、タンポンを一列にのみ配置することを更に含む、実施態様１０に記載の方法。
（１４）  タンポンのためのパッケージにおいて、
前壁と、
前記前壁から離間し、かつ前記前壁に対向する後壁と、
前記前壁と後壁との間に延在する第１の側壁と、
前記第１の側壁に対向し、かつそこから離間する、前記前壁と後壁との間に延在する第２の側壁と、
前記前壁、前記後壁、前記第１の側壁、及び前記第２の側壁の間に延在する底壁と、を備え、
タンポンは、それらの長手方向軸線が前記底壁に垂直、かつ相互に平行となる状態で配置され、
前記前壁及び前記後壁が、１列のタンポンのみをその間にぴったりと収めることができるように離間しており、
前記パッケージが、前記タンポンの前記長手方向軸線に沿って、タンポンを前記パッケージから取り出すことができるように、上端部で開口している、パッケージ。
（１５）  前記タンポンが、前記タンポンを前記パッケージ内で適所に固定するが、前記タンポンを前記パッケージから意図的に取り出すことを可能にするように、前記底壁に接着される、実施態様１４に記載のパッケージ。
（１６）  前記パッケージが板紙から形成される、実施態様１４に記載のパッケージ。
（１７）  パッケージにおいて、
前壁、前記前壁から離間する後壁、互いに離間し、かつ前記前壁と後壁との間に延在する第１及び第２の側壁、並びに前記前壁、前記後壁、及び前記第１及び第２の側壁の底端部間に延在する底壁を備える、中箱と、
前パネル、後パネル、並びに前記前パネル及び後パネルの底端部間に延在する底パネルを備える外スリーブと、を備え、
前記外スリーブの前記底パネルは、前記前パネル及び前記外スリーブが、前記前壁を被覆し、かつ前記パネルのうちの少なくとも１つが、前記中箱にアクセスするために移動可能であるように、前記中箱の前記底壁に結合され、
前記外スリーブの前記前パネル及び後パネルは、前記底パネルと反対側の端部に共に直接結合される、パッケージ。
（１８）  前記中箱の前記前壁及び前記後壁は、前記中箱内に収容される物品が前記前壁及び前記後壁の上縁部より上に延在するように、前記物品よりも短い、実施態様１７に記載のパッケージ。
（１９）  前記外スリーブの前パネルは、前記中箱内の物品へのアクセスを可能にするように、前記中箱の前壁に対して、ある位置から実質的に移動可能である、実施態様１８に記載のパッケージ。
（２０）  前記外スリーブの前パネル及び前記後パネルの上端部は、側面から見た際、前記パッケージが先細の形状を有するように、共に直接結合する、実施態様１７に記載のパッケージ。
【００４６】
（２１）  先細パッケージにおいて、
前壁、前記前壁から離間する後壁、互いに離間し、かつ前記前壁と後壁との間に延在する第１及び第２の側壁、並びに前記前壁、前記後壁、及び前記第１及び第２の側壁の底端部間に延在する底壁であって、前記前壁及び前記後壁の上端部は、側面から見た際、前記パッケージが先細の形状を有するように、共に直接結合する、前壁、後壁、第１及び第２の側壁、並びに底壁と、
前記パッケージを閉じるように、前記前壁及び前記後壁を共に維持するクロージャであって、（ａ）前記前壁及び前記後壁を共に結合する係合要素と、（ｂ）視界から前記係合要素を被覆する被覆要素と、を備える、クロージャと、を備える、先細パッケージ。
（２２）  前記クロージャの被覆要素は、前記前壁及び前記後壁の前記上端部を共に保持し、前記先細パッケージを閉じるように、前記前壁及び前記後壁の前記上端部周辺に延在し、かつそれらを包囲するバンド形態である、実施態様２１に記載の先細パッケージ。
（２３）  前記クロージャの係合要素は、前記前壁及び後壁のうちの一方におけるクロージャタブと、前記前壁及び後壁のうちの他方におけるクロージャスロットとを備え、前記クロージャスロットは、前記クロージャタブを受容するようにサイズ決定及び形状化される、実施態様２２に記載の先細パッケージ。
（２４）  パッケージのためのクロージャであって、前記クロージャは、ユーザーに、前記パッケージが閉じられたことを確認する、フィードバックを提供する、クロージャにおいて、
前記パッケージを閉じるように、共に選択的に係合し、かつ前記パッケージを開くように、互いから係合解除される、係合要素と、
視界から前記係合要素を被覆する、被覆要素と、を備え、
前記パッケージが閉じられたという、前記ユーザーへのキューが、前記係合要素が前記被覆要素内で係合する際に生成される、クロージャ。
（２５）  前記クロージャは、
第１のパネルであって、前記第１のパネルから延在するクロージャタブを有する、第１のパネルと、
前記クロージャタブを受容するためにサイズ決定及び形状化された、クロージャスロットを中に有する第２のパネルと、
前記クロージャスロットを被覆する被覆パネルと、を更に備え、
前記クロージャタブ及び前記クロージャスロットは、前記係合要素として機能し、
前記パッケージが閉じられたという前記ユーザーへのキューを生成するため、前記クロージャタブが前記クロージャスロットに挿入され得るように、受容チャネルが、少なくとも前記クロージャタブを受容するためにサイズ決定され、前記第２のパネルと前記被覆パネルとの間に形成される、実施態様２４に記載のクロージャ。
（２６）  前記クロージャタブは、
前記第１のパネルの自由縁部から延在し、
前記第１のパネルが前記受容チャネルへ挿入されると、かかり形状に屈曲し、
前記クロージャスロットに引っ掛かる、実施態様２５に記載のクロージャ。
（２７）  前記第２のパネルは、前記受容チャネルに面した内側表面と、前記内側表面の反対側にある外側表面とを有し、
前記クロージャは、前記かかり形状のクロージャタブが、前記クロージャスロットから不注意に外れるのを防止するように、前記第２のパネルの前記外側表面に隣接して位置付けられ、かつ前記クロージャスロットを被覆する、保持パネルを更に備える、実施態様２６に記載のクロージャ。
（２８）  前記キューが、可聴である、実施態様２４に記載のクロージャ。
（２９）  前記キューが、触知できる、実施態様２４に記載のクロージャ。
（３０）  前記係合要素が、前記パッケージを閉じるために、互いに係合するように、互いに対して、かつ互いに沿って摺動する、実施態様２４に記載のクロージャ。
【００４７】
（３１）  前記クロージャが、パッケージの先細端部の先細を維持するように構成される、実施態様２４に記載のクロージャ。
（３２）  タンポンのための使い捨てパッケージにおいて、
前記パッケージが４つを超えないタンポンを収容できるように、相互に離間する側壁と、
ユーザーに、前記パッケージが閉じられたことを確認するフィードバックを提供するように形成されたクロージャと、を備える、使い捨てパッケージ。
（３３）  前記パッケージは、一度すべてのタンポンが前記パッケージから取り出されたら容易に押潰可能な、薄い材料から形成される、実施態様３２に記載の使い捨てパッケージ。
（３４）  前記パッケージは板紙から形成される、実施態様３２に記載の使い捨てパッケージ。
（３５）  前記クロージャは、前記パッケージが不注意に開くことを防止するように被覆される、実施態様３２に記載の使い捨てパッケージ。
【図１】
2011031990.tif 000003
【図２】
2011031990.tif 000004
【図３】
2011031990.tif 000005
【図４】
2011031990.tif 000006
【図５】
2011031990.tif 000007
【図６】
2011031990.tif 000008
【外国語明細書】
2011031990000001.pdf